(57)【要約】【課題】本発明の目的はランプ電極部の信頼性及び安全性を進めるようにした液晶表示装置のランプ駆動装置及び方法を提供するものである。 【解決手段】このランプ駆動装置は隣合うランプと所定のランプの距離を間に置いて配置される多数のランプと、前記多数のランプのそれぞれに電源を供給するための電源供給部と、前記多数のランプの中から第１ランプと基準電圧を比べて比較値を出力する比較機と、前記比較結果に沿って誤放電が発生された前記第１ランプの電源を遮断するための電源遮断部と、を具備する。 【選択図】図５ 
2005191005.tif 000002
【特許請求の範囲】
【請求項１】
隣合うランプと所定のランプ距離を間に置いて配置される多数のランプと、前記多数のランプのそれぞれに電源を供給するための電源供給部と、前記多数のランプの中から第１ランプと基準電圧を比べて比較値を出力する比較部と、前記比較結果に沿って誤放電が発生された前記第１ランプの電源を遮断するための電源遮断部と、を具備することを特徴とするランプ駆動装置。 
【請求項２】
前記基準電圧は電源部の出力電圧であることを特徴とする請求項１記載のランプ駆動装置。
【請求項３】
前記基準電圧は多数のランプの中から第２ランプの出力電圧であることを特徴とする請求項１記載のランプ駆動装置。
【請求項４】
前記第１及び第２ランプは多数のランプの中から偶数番目に位することを特徴とする請求項３記載のランプ駆動装置。
【請求項５】
前記第１及び第２ランプは多数のランプの中から奇数番目に位することを特徴とする請求項３記載のランプ駆動装置。
【請求項６】
前記比較部は前記多数のランプの中から第１ランプの出力電圧が第１端子に入力されて前記多数のランプの中から前記第１ランプと隣接しない第２ランプの出力電圧が第２端子に入力される第１比較機と、前記第２ランプの出力電圧が第３端子に入力されて前記第１ランプの出力電圧が第４端子に入力される第２比較機と、前記第１ランプと前記第１比較機の第１端子の間に設置される第1ダイオードと、前記第２ランプと前記第２比較機の第３端子の間に設置される第２ダイオードと、前記第１比較機の出力端と前記電源遮断部の間に設置される第３ダイオードと、前記第２比較機の出力端と前記電源遮断部の間に設置される第4ダイオードと、前記第１及び第２比較機と前記電源遮断部を駆動させるための駆動電源と、前記駆動電源と前記第３ダイオードのエノ−ドの間に設置される第１抵抗と、駆動電源と前記第4ダイオードのエノ−ドの間に設置される第２抵抗と、を具備することを特徴とする請求項３記載のランプ駆動装置。
【請求項７】
前記多数のランプに駆動電圧を供給するためのインバーターと、前記第１ランプの出力電圧に沿って前記第１ランプの有無を検出するための開放ランプ検出部と、前記第１ランプの出力電圧に沿って前記第１ランプに供給された過電圧を検出するための過電圧検出部と、をさらに具備することを特徴とする請求項３記載のランプ駆動装置。
【請求項８】
前記インバーター部は電圧源からの電圧を前記駆動電圧に変換させるための変圧機と、前記電圧を前記変圧機に切換するためのスイチング回路と、を具備することを特徴とする請求項７記載のランプ駆動装置。
【請求項９】
前記電源遮断部は前記比較部の比較結果に係るフィードバック信号を生成するための信号発生部と、前記信号発生部のフィードバック信号に沿って前記スイッチング回路のスイッチング週期を制御するためのパルス幅の変調部と、を具備することを特徴とする請求項３記載のランプ駆動装置。
【請求項１０】
前記比較部と基底電圧源の間に設置される第３抵抗と、前記比較部の出力結果に沿って動作するように前記駆動電圧源と前記基底電圧源の間に設置されたトランジスタと、前記トランジスタと前記駆動電圧源の間に設置される第４抵抗と、をさらに具備することを特徴とする請求項９記載のランプ駆動装置。
【請求項１１】
多数のランプを具備する表示装置のランプ駆動方法において、基準電圧とランプの出力電圧を比べる段階と、前記比較結果につれて前記多数のランプの中からいずれかの電源供給を遮断する段階と、を含むことを特徴とするランプ駆動方法。
【請求項１２】
前記基準電圧は電源供給部の出力電圧であることを特徴とする請求項１１記載のランプ駆動方法。
【請求項１３】
前記基準電圧は前記ランプの中からいずれかの出力電圧であることを特徴とする請求項１１記載のランプ駆動方法。
【請求項１４】
前記ランプは前記多数のランプの中から偶數番目に位したことを特徴とする請求項１３記載のランプ駆動方法。
【請求項１５】
前記ランプは前記多数のランプの中から奇數番目に位したことを特徴とする請求項１３記載のランプ駆動方法。
【請求項１６】
隣接したランプの間に所定のランプ距離Lを持つように配列された多数のランプと、電源供給部及び各ランプに対する出力電圧のアクセスポイントを持つハウジングと、ランプ距離Lの定数倍（少なくとも２以上）より大きいとか同一な距離で離隔されたランプの出力電圧を比べるための比較部と、比較結果に沿って比較されたランプの中からいずれかの電源供給を遮断するための電源遮断部と、を具備することを特徴とする表示装置のランプユニット。
【請求項１７】
隣合うランプと所定のランプ距離を間に置いて配置される多数のランプと、前記多数のランプのそれぞれに電源を供給するための電源供給部と、前記多数のランプの中から第１ランプと基準電圧を比べて比較値を出力する比較部と、前記多数のランプに駆動電圧を供給するためのインバーターと、前記第１ランプの出力電圧に沿って前記第１ランプの有無を検出するための開放ランプ検出部と、前記第１ランプの出力電圧に沿って前記第１ランプに供給された過電圧を検出するための過電圧検出部と、前記比較部の比較結果に係るフィードバック信号を生成するための信号発生部と、前記信号発生部のフィードバック信号に沿って前記スイッチング回路のスイッチング週期を制御するためのパルス幅の変造部と、を具備することを特徴とするランプ駆動装置。
【請求項１８】
隣合うランプの間に所定のランプ距離Lを持つように配列された多数のランプと、ランプ距離Lの定数倍(少なくとも２以上)より大きいとか同一な距離で離隔されたランプの出力電圧を比べるための比較部と、前記多数のランプに駆動電圧を供給するためのインバーターと、前記第１ランプの出力電圧に沿って前記第１ランプの有無を検出するための開放ランプ検出部と、前記第１ランプの出力電圧に沿って前記第１ランプに供給された過電圧を検出するための過電圧検出部と、前記比較部の比較結果に係るフィードバック信号を生成するための信号発生部と、前記信号発生部のフィードバック信号に沿って前記スイッチング回路のスイッチング週期を制御するためのパルス幅の変造部と、を具備することを特徴とする表示装置のランプ装置。
【発明の詳細な説明】
【技術分野】
【０００１】
本発明は液晶表示装置のランプ駆動装置及び方法に関することで、特にランプ電極部の信頼性及び安全性を進めるようにした液晶表示装置のランプ駆動装置及び方法に関するものである。
【背景技術】
【０００２】
通常的に、液晶表示装置( 以下 "LCD"という)は軽量、薄型、低消費電力駆動などの特徴により、その応用範囲が徐徐に広くなっている趨勢である。このような趨勢につれて、LCDはオフィスオートメーション器機、オーディオ/ビデオ器機などに利用されている。一方、LCDはマトリックス形態に配列されられた多数の制御用スイッチに印加される映像信号に沿って光ビームの透過量が調節されて画面に望みの画像を表示するようになる。 
【０００３】
このようなLCDは自発光表示装置ではないからバックライトのような光源が必要になる。バックライトに使われる光源としては冷陰極管( 以下 "CCFL"という)が使われる。 
【０００４】
CCFLは冷陰極放出(陰極表面に強い電界が加えられるから起きる電子放出)現象を利用した光源管として低発熱、高輝度、長寿命、プールカラー化などが容易である。このようなCCFLは導光体方式、直射方式、反射板方式などがあり、LCDの要求に沿って相応しい方式の光源管が採択される。 
【０００５】
このようなCCFLは低圧の直流電源で高圧電源を得るためのインバーター回路を使うようになる。 
【０００６】
図１及び図２を参照すると、従来技術に係るLCDのランプ駆動装置は多数のランプ１２を輸納するランプハウジング１０と、多数のランプ１２のそれぞれに出力電圧を供給するための多数のインバーターを持つインバーター部２２と、インバーター部２２が実裝された第１印刷回路基板２０と、多数のランプ１２のそれぞれを保護するためのランプ保護部３２と、ランプ保護部３２が実裝された第２印刷回路基板３０と、を具備する。 
【０００７】
ランプハウジング１０は多数のランプを輸納するための収納空間が用意されて図示しないサポートメインに積層される。 
【０００８】
多数のランプのそれぞれはインバーター部２２からランプ出力電圧を供給受けて可視光を図示しない液晶パネルに照射するようになる。 
【０００９】
第１印刷回路基板２０は図示しないサポートメインの一側方に配置されてサポートメインの背面に折りたたまれるようになる。 
【００１０】
第２印刷回路基板３０は図示しないサポートメインの一側方に配置されてサポートメインの背面に折りたたまれるようになる。 
【００１１】
インバーター部２２を構成する多数のインバーター２４のそれぞれはスイッチング制御信号に回答して電圧源(Vin)からの電圧を切換するスイッチング回路２６と、スイッチング回路２６の切換により供給される電圧を出力電圧に変換する変圧器２８と、を具備する。 
【００１２】
スイッチング回路２６はパルス幅の変調部( PWM)３４からのスイッチング制御信号に回答して電圧源(Vin)からの電圧を変圧器２８に切換するようになる。このために、スイッチング回路２６は少なくとも一つのスイッチ素子を具備する。 
【００１３】
変圧器２８はスイッチング回路２６に接続された一次側捲線とランプ１２に接続された二次側捲線から構成される。一次側捲線の両端はスイッチング回路２６に接続されて、二次側捲線の一側はランプ１２の第１電極端子に接続されることと同時に他端は基底電圧源(GND)に接続される。このような、変圧器２８は一次側及び二次側捲線の捲線比により一次側捲線に供給される電圧を変換して二次側捲線に誘起させるようになる。二次側捲線に有機された電圧はランプ１２の第１電極端子を通じてランプ１２に供給されてランプ１２を点燈させるようになる。 
【００１４】
ランプ保護部３２はランプ１２の出力電圧によりランプ１２の存在有無を検出する開放ランプの検出部( OLP)３６と、変圧器２８からランプ１２の電極部に供給される電圧を検出する過電圧検出部( OVP)３８と、開放ランプ検出部３６からのフィードバック信号(FB１)及び過電圧検出部３８からのフィードバック信号(FB２)に回答してスイッチング回路２６をスイッチングさせるためのパルス幅の変調部３４と、を具備する。 
【００１５】
開放ランプ検出部３６はランプ１２の出力電圧によりランプ１２の存在有無を検出してパルス幅の変調部３４を制御するようになる。すなわち、ランプ１２が存在しない場合、開放ランプ検出部３６は検出された検出信号に対応されるフィードバック信号(FB１)を発生するようになる。この時、パルス幅の変調部３４は開放ランプ検出部３６からのフィードバック信号(FB１)により電圧源(Vin)からの電圧が変圧器２８に供給されないようにスイッチング回路２６を遮断させるようになる。これにより、ランプ１２が存在しない場合、インバーター部２２はランプ１２に電圧を供給しなくなる。 
【００１６】
過電圧検出部３８は変圧器２８からランプ１２の電極部に供給される電圧を検出してパルス幅の変調部３４を制御するようになる。すなわち、図３に図示されたところのようにランプ１２の損傷を惹起させる電圧レベル(OVP１,OVP２)の以上または以下の過電圧(V２)が変圧器２８からランプ１２の電極部に供給されると、過電圧検出部３８は検出された検出信号に対応されるフィードバック信号(FB２)を発生させてパルス幅の変調部３４に供給するようになる。この時、パルス幅の変調部３４は過電圧検出部３８からのフィードバック信号(FB２)によりスイッチング回路２６のスイッチング週期を制御して電圧源(Vin)から変圧器２８の一次側捲線に供給される電圧を減少させるようになる。これにより、変圧器２８の二次側捲線からランプ１２に供給される電圧(V３)が減少されてランプ１２の損傷を防止するようになる。 
【００１７】
パルス幅の変調部３４は開放ランプの検出部３６からのフィードバック信号(FB１)及び過電圧検出部３８からのフィードバック信号(FB２)に応答してスイッチング回路２６のスイッチング週期を制御するようになる。すなわち、パルス幅の変調部３４はフィードバック信号(FB１,FB２)に応答してスイッチング回路２６を構成するスイッチング素子のスイッチング週期を制御して変圧器２８に供給される電圧を制御するようになる。 
【００１８】
このようなLCDのランプ駆動装置においてランプ１２の動作電圧はランプ１２のガラス管の長さに比例してランプ１２のガラス管の長さが長くなるほど、ランプ１２の点燈電圧及び動作電圧は上昇するようになる。このように増加された電圧は図４に図示されたように互いに燐接するランプ１２の間に願わない誤放電を発生させてインバータ２４の出力電圧を不安定にさせる。 
【００１９】
しかし、従来のLCDのランプ駆動装置は互いに隣接したランプ１２の間で発生される誤放電を防止するための保護回路が具備されないからランプ１２の損傷を惹起させるようになる。これにより、インバータの出力電圧が不安定になって、ランプ電極部の信頼性及び安全性を低下させるようになる。 
【発明の開示】
【発明が解決しようとする課題】
【００２０】
したがって、本発明の目的はランプ電極部の信頼性及び安全性を進めるようにした液晶表示装置のランプ駆動装置及び方法を提供するのにある。 
【課題を解決するための手段】
【００２１】
上記目的を達成するために、本発明に係るランプ駆動装置は隣合うランプと所定のランプの距離を間に置いて配置される多数のランプと、前記多数のランプのそれぞれに電源を供給するための電源供給部と、前記多数のランプの中、第１ランプと基準電圧を比べて比較値を出力する比較機と、前記比較結果に沿って誤放電が発生された前記第１ランプの電源を遮断するための電源遮断部と、を具備する。 
【００２２】
前記基準電圧は電源部の出力電圧であることを特徴とする。 
【００２３】
前記基準電圧は多数のランプの中、第２ランプの出力電圧であることを特徴とする。 
【００２４】
前記第１及び第２ランプは多数のランプの中、偶数番目に位することを特徴とする。 
【００２５】
前記第１及び第２ランプは多数のランプの中、奇数番目に位することを特徴とする。 
【００２６】
前記比較部は前記多数のランプの中から第１ランプの出力電圧が第１端子に入力されて前記多数のランプの中から前記第１ランプと隣接しない第２ランプの出力電圧が第２端子に入力される第１比較機と、前記第２ランプの出力電圧が第３端子に入力されて前記第１ランプの出力電圧が第４端子に入力される第２比較機と、前記第１ランプと前記第１比較機の第１端子の間に設置される第1ダイオードと、前記第２ランプと前記第２比較機の第３端子の間に設置される第２ダイオードと、前記第１比較機の出力端と前記電源遮断部の間に設置される第３ダイオードと、前記第２比較機の出力端と前記電源遮断部の間に設置される第4ダイオードと、前記第１及び第２比較機と前記電源遮断部を駆動させるための駆動電源と、前記駆動電源と前記第３ダイオードのエノ−ドの間に設置される第１抵抗と、駆動電源と前記第4ダイオードのエノ−ドの間に設置される第２抵抗と、を具備することを特徴とする。
【００２７】
本発明に係るランプ駆動装置は前記多数のランプに駆動電圧を供給するためのインバータと、前記多数のランプに駆動電圧を供給するためのインバーターと、前記第１ランプの出力電圧に沿って前記第１ランプの有無を検出するための開放ランプ検出部と、前記第１ランプの出力電圧に沿って前記第１ランプに供給された過電圧を検出するための過電圧検出部と、をさらに具備する。 
【００２８】
前記インバータ部は電圧源からの電圧を前記駆動電圧に変換させるための変圧器と、前記電圧を前記変圧器に切換するためのスイッチング回路と、を具備することを特徴とする。 
【００２９】
前記電源遮断部は前記比較部の比較結果に係るフィードバック信号を生成するための信号発生部と、前記信号発生部のフィードバック信号に沿って前記スイッチング回路のスイッチング週期を制御するためのパルス幅の変調部と、を具備することを特徴とする。 
【００３０】
本発明に係るランプ駆動装置は前記比較部と基底電圧源の間に設置される第３抵抗と、前記比較部の出力結果に沿って動作するように前記駆動電圧源と前記基底電圧源の間に設置されたトランジスタと、前記トランジスタと前記駆動電圧源の間に設置される第４抵抗と、をさらに具備する。 
【００３１】
本発明に係るランプ駆動方法は多数のランプを具備する表示装置のランプ駆動方法において、基準電圧とランプの出力電圧を比べる段階と、前記比較結果に沿って前記多数のランプの中からいずれかの電源供給を遮断する段階と、を含む。 
【００３２】
前記基準電圧は電源供給部の出力電圧であることを特徴とする。 
【００３３】
前記基準電圧は前記ランプの中からいずれかの出力電圧であることを特徴とする。 
【００３４】
前記ランプは前記多数のランプの中、偶数番目に位したことを特徴とする。 
【００３５】
前記ランプは前記多数のランプの中、奇数番目に位したことを特徴とする。 
【００３６】
本発明に係る表示装置のランプのユニットは隣接したランプの間に所定のランプ距離Lを持つように配列された多数のランプと、電源供給部及び各ランプに対する出力電圧のアクセスポイントを持つハウジングと、ランプ距離Lの定数倍(少なくとも２以上)より大きいとか同一な距離で離隔されたランプの出力電圧を比べるための比較部と、比較結果に沿って比較されたランプの中からいずれかの電源供給を遮断するための電源遮断部と、を具備する。 
【００３７】
本発明に係るランプ駆動装置は隣合うランプと所定のランプ距離を間に置いて配置される多数のランプと、前記多数のランプのそれぞれに電源を供給するための電源供給部と、前記多数のランプの中から第１ランプと基準電圧を比べて比較値を出力する比較部と、 前記多数のランプに駆動電圧を供給するためのインバーターと、前記第１ランプの出力電圧に沿って前記第１ランプの有無を検出するための開放ランプ検出部と、前記第１ランプの出力電圧に沿って前記第１ランプに供給された過電圧を検出するための過電圧検出部と、前記比較部の比較結果に係るフィードバック信号を生成するための信号発生部と、前記信号発生部のフィードバック信号に沿って前記スイッチング回路のスイッチング週期を制御するためのパルス幅の変造部と、を具備する。 
【００３８】
本発明に係る表示装置のランプ装置は隣合うランプの間に所定のランプ距離Lを持つように配列された多数のランプと、ランプ距離Lの定数倍(少なくとも２以上)より大きいとか同一な距離で離隔されたランプの出力電圧を比べるための比較部と、前記多数のランプに駆動電圧を供給するためのインバーターと、 前記第１ランプの出力電圧に沿って前記第１ランプの有無を検出するための開放ランプ検出部と、 前記第１ランプの出力電圧に沿って前記第１ランプに供給された過電圧を検出するための過電圧検出部と、前記比較部の比較結果に係るフィードバック信号を生成するための信号発生部と、前記信号発生部のフィードバック信号に沿って前記スイッチング回路のスイッチング週期を制御するためのパルス幅の変造部と、を具備する。 
【発明を実施するための最良の形態】
【００３９】
以下、図５乃至図１０を参照して本発明の望ましい実施例について説明する事にする。
【００４０】
図５は本発明の実施例に係る液晶表示装置のランプ駆動装置を示す図面で、図６は図５に図示された放電検出部の詳細図を示す図面である。 
【００４１】
図５及び図６を参照すると、本発明の実施例に係る液晶表示装置のランプ駆動装置は光を発生する多数のランプ４２と、多数のランプ４２のそれぞれにランプ電圧を供給するための多数のインバータを持つインバータ部５２と、多数のランプ４２のそれぞれを保護するためのランプ保護部６２と、を具備する。 
【００４２】
多数のランプ４２のそれぞれはインバータ部５２からランプ電圧を供給受けて可視光を図示しない液晶パネルに照射するようになる。このような、多数のランプ４２は隣合うランプ４２と所定のランプの距離を間に置いて配置される。 
【００４３】
インバータ部５２を構成する多数のインバータ５４のそれぞれはスイッチング制御信号に応答して電圧源(Vin)からの電圧を切換するスイッチング回路５６と、スイッチング回路５６の切換により供給される電圧をランプ駆動電圧に変換する変圧器５８と、を具備する。 
【００４４】
スイッチング回路５６はパルス幅の変調部６４からのスイッチング制御信号に応答して電圧源(Vin)からの電圧を変圧器５８に切換する少なくとも一つのスイッチ素子を具備する。 
【００４５】
変圧器５８はスイッチング回路５６に接続された一次側捲線とランプ４２に接続された二次側捲線から構成される。一次側捲線の両端はスイッチング回路５６に接続されて、二次側捲線の一側はランプ４２の第１電極端子に接続されることと同時に他端は基底電圧源(GND)に接続される。このような、変圧器５８は一次側及び二次側捲線の捲線比により一次側捲線に供給される電圧を変換して二次側捲線に誘起させるようになる。二次側捲線に有気された電圧はランプ４２の第１電極端子を通じてランプ４２に供給されてランプ４２を点燈させるようになる。 
【００４６】
ランプ保護部６２はランプ４２の出力電圧によりランプ４２の存在有無を検出するための開放ランプ検出部６６と、変圧器５８からランプ４２の電極部に供給される過電圧を検出するための過電圧検出部６８と、多数のランプ４２に発生される誤放電を検出するための放電検出部(Electro Discharge Protection; EDP)７０と、開放ランプ検出部６６、過電圧検出部６８及び放電検出部７０からのフィードバック信号(FB１,FB２,FB３)に応答してスイッチング回路５６のスイッチング週期を制御するためのパルス幅の変調部６４と、を具備する。 
【００４７】
開放ランプ検出部６６は多数のランプ４２のそれぞれの出力電圧により多数のランプ４２のそれぞれの存在有無を検出して多数のランプ４２のそれぞれに供給される出力電圧を制御するようになる。より詳しく説明すると、ランプ４２が存在しない場合、開放ランプ検出部６６は検出された検出信号に対応されるフィードバック信号(FB１)を発生するようになる。この時、パルス幅の変調部６４は開放ランプ検出部６６からのフィードバック信号(FB１)により電圧源(Vin)からの電圧が変圧器５８に供給されないようにスイッチング回路５６を遮断させるようになる。これにより、ランプ４２が存在しない場合、インバータ部５２はランプ４２の電極部に供給される電圧を遮断させてランプ４２を保護するようになる。 
【００４８】
過電圧検出部６８は変圧器５８から多数のランプ４２のそれぞれに供給される過電圧を検出して多数のランプ４２のそれぞれに供給される出力電圧を制御するようになる。より詳しく説明すると、図３に図示されたところのようにランプ４２の損傷を惹起させる電圧レベル(OVP１,OVP２)の以上または以下の過電圧(V２)が変圧器５８からランプ４２の電極部に供給されると、過電圧検出部６８は検出された検出信号に対応されるフィードバック信号(FB２)を発生させてパルス幅の変調部６４に供給するようになる。この時、パルス幅の変調部６４は過電圧検出部６８からのフィードバック信号(FB２)によりスイッチング回路５６のスイッチング週期を制御して電圧源(Vin)から変圧器５８の一次側捲線に供給される電圧を減少させるようになる。これにより、変圧器５８の二次側捲線からランプ４２の電極部に供給される電圧(V３)が減少されるから、ランプ４２の損傷を防止することができる。 
【００４９】
放電検出部７０を構成する多数の放電検出器７１のそれぞれはランプ４２の出力電圧を比べるための比較部８０と、比較部８０の比較結果に係る信号を発生する信号発生部８２と、を具備する。 
【００５０】
比較部８０は図７に図示されたところのように隣合うランプ４２と所定のランプの距離(L)を間に置いて配置される多数のランプ４２の出力電圧(A,B)を比べるようになる。詳しく説明すると、多数のランプ４２中、偶数番目に配置されたランプ４２の出力電圧が比較機(７２,７３)の第１端子(+)に入力されると、比較機(７２,７３)の第２端子(-)には第１端子(-)に出力電圧が入力されたランプ４２を除いた偶数番目に配置されたランプ４２の出力電圧が入力される。この時、第２端子(-)には第１端子(+)に出力電圧が入力されたランプ４２と互いに隣接しない奇数番目に配置されたランプ４２の出力電圧が入力されることができる。また、多数のランプ４２中、奇数番目に配置されたランプ４２の出力電圧が比較機(７２,７３)の第１端子(+)に入力されると、比較機(７２,７３)の第２端子(-)には第１端子(-)に出力電圧が入力されたランプ４２を除いた奇数番目に配置されたランプ４２の出力電圧が入力される。この時、第２端子(-)には第１端子(+)に出力電圧が入力されたランプ４２と互いに燐接しない偶数番目に配置されたランプ４２の出力電圧が入力されることができる。また、比較機(７２,７３)は図８に図示されたように多数のランプ４２を駆動させるための基準電圧(Vref)と、多数のランプ４２の出力電圧を比べるようになる。このために比較部８０はランプ４２の出力電圧を比べるための比較機(７２,７３)と、ランプ保護部６２を駆動させるための駆動電源(Vcc)と、駆動電源(Vcc)と比較機(７２,７３)の間に設置される第１抵抗(R１)及び第２抵抗(R２)と、比較機(７２,７３)の第１端子(+)に設置されて比較機(７２,７３)からの逆電流を防止するための第１ダイオード(D１)及び第２ダイオード(D２)と、比較機(７２,７３)と信号発生部８２の間に設置されて信号発生部８２からの逆電流を防止するための第３ダイオード(D３)及び第４ダイオード(D４)から構成される。 
【００５１】
信号発生部８２は比較部８０の出力値に沿ってフィードバック信号(FB３)を発生してパルス幅の変調部６４にフィードバック信号(FB３)を供給するようになる。すなわち、比較部８０の出力値がハイ(１)、すなわち、ランプ４２に誤放電が起きなければ信号発生部８２はロー(０)のフィードバック信号(FB３)を発生するようになる。また、比較部８０の出力値がロー(０)、すなわち、多数のランプ４２中からいずれかのランプ４２に誤放電が起きれば信号発生部８２はハイは(１)のフィードバック信号(FB３)を発生するようになる。この時、ハイ(１)のフィードバック信号(FB３)がパルス幅の変調部６４に供給されると、パルス幅の変調部６４はスイッチング回路５６を遮断させて誤放電が起きたランプ４２に供給される電源を遮断させるようになる。このために信号発生部８２は駆動電源(Vcc)と基底電圧源(GND)の間に設置されて比較部８０の出力信号に沿って動作されるトランジスタ(Q)と、比較部８０と基底電圧源(GND)の間に設置される第３抵抗(R３)と、駆動電源(Vcc)とトランジスタ(Q) の間に設置される第４抵抗(R４)から構成される。 
【００５２】
パルス幅の変調部６４は開放ランプ検出部６６、過電圧検出部６８及び放電検出部７０からのフィードバック信号(FB１,FB２,FB３)に応答してスイッチング回路５６のスイッチング週期を制御するようになる。すなわち、パルス幅の変調部６４はフィードバック信号(FB１,FB２,FB３)に応答してスイッチング回路５６を構成するスイッチング素子のスイッチング週期を制御して変圧器５８に供給される電圧を制御するようになる。このように放電検出部７０の信号発生部８２とパルス幅の変調部６４はランプ４２の出力電圧または管電流を比べて、比較された値によるフィードバック信号(FB３)により誤放電が発生されたランプ４２の電源供給を遮断する電源遮断部の役目をするようになる。 
【００５３】
より詳しく説明すると、電圧源(Vin)からの電圧がランプ保護部６２のパルス幅の変調部６４により制御されるスイッチング回路５６の切換により変圧器５８の一次側捲線に供給される。変圧器５８の一次側捲線に供給された電圧は変圧器５８の一次側及び二次側捲線比により変換されて二次側捲線に有気される。変圧器５８の二次側捲線に有気された電圧はランプ４２の第１電極端子に供給されることによってランプ４２が点燈される。この時、ランプ４２が存在しなければ開放ランプ検出部６６はロー０のフィードバック信号(FB１)をパルス幅の変調部６４に供給してスイッチング回路５６を遮断させるようになる。これにより、電圧源(Vin)からの電圧が変圧器５８の一次側に供給されることを防止してランプ４２の電極部に電源供給を遮断させるようになる。 
【００５４】
ランプ４２が存在するようになると、変圧器５８の二次側捲線に有気された電圧がランプ４２の第１電極端子に供給されてランプ４２が点燈される。ランプ４２が点燈されると、過電圧検出部６８は変圧器５８からランプ４２の出力電圧(V２)を検出するようになる。この時、ランプ４２の出力電圧(V１)が図３に図示されたようにランプ４２に損傷を惹起させる電圧(OVP１,OVP２)の間に存在すると、過電圧検出部６８はハイ１のフィードバック信号(FB２)をパルス幅の変調部６４に供給するようになる。パルス幅の変調部６４に供給されたフィードバック信号(FB２)はスイッチング回路５６のスイッチング週期を以前状態と同一に維持させて電圧源(Vin)から変圧器５８の一次側捲線に供給される電圧を維持させるようになる。しかし、過電圧検出部６８に検出された供給電圧(V２)がランプ４２に損傷を惹起させる電圧(OVP１,OVP２) 以上または以下になると、過電圧検出部６８はロー０のフィードバック信号(FB２)をパルス幅の変調部６４に供給するようになる。パルス幅の変調部６４に供給されたフィードバック信号(FB２)はスイッチング回路５６のスイッチング週期を減少させて、電圧源(Vin)から変圧器(58)の一次側勧善に供給される電圧(V3)を減少させるようになる。 
【００５５】
ランプ４２が点燈される時、放電検出部７０は隣合うランプ４２と所定のランプの距離(L)を間に置いて配置されるランプ４２中、所定のランプの距離(L)より大きい距離で離隔されたランプ４２の間の出力電圧(A,B)やランプ４２の管電流を比べるようになる。この時、比較部８０に入力されるランプ４２の出力電圧(A,B)はランプ４２に損傷を惹起させる電圧(OVP１,OVP２)より小さな電圧が比較機(７２,７３)の入力端子に入力される。比較部８０の出力値がハイ１すなわち、ランプ４２に誤放電が発生しなければ駆動電源(Vcc)により第１ノード(N１)及び第２ノード(N２)上に示す電流値(または電圧値)は図９に図示されたところのように第３ダイオード(D３)及び第４ダイオード(D４)を通じて第３ノード(N３)で加わった後、第３抵抗(R３)を通じて基底電圧源(GND)に伝達する。すなわち、比較部８０はハイ１の出力信号を信号発生部８２に伝達するようになる。この時、信号発生部８２に伝達した信号は第３抵抗(R３)にターン-オン電圧(Vt)を形成してトランジスタ(Q)をターン-オンさせるようになる。トランジスタ(Q)がターン-オンになると、駆動電源(Vcc)から供給される電流値(または電圧値)により第４ノード(N４)に示す電流値(または電圧値)はトランジスタ(Q)を通じて基底電圧源(GND)に伝達する。これにより、信号発生部８２はロー０のフィードバック信号(FB３)をパルス幅の変調部６４に供給するようになる。この時、パルス幅の変調部６４に供給されたフィードバック信号(FB３)は以前状態のパルスをスイッチング回路５６に供給して以前状態の出力電圧を多数のランプ４２に供給するようになる。しかし、比較部８０の出力値がロー０すなわち、図１０に図示されたところのようにランプ４２に損傷を惹起させる電圧(OVP１,OVP２)の間の電圧により多数のランプ４２中からいずれかのランプ４２に誤放電が起きると、駆動電源(Vcc)により第１ノード(N１)及び第２ノード(N２)上に示す電流値(または電圧値)は図１１に図示されたところのように比較機(７２,７３)の第２端子(-)と假像の閉回路を構成するようになる。すなわち、比較部８０はロー０の出力信号を信号発生部８２に供給するようになる。この時、信号発生部８２に供給された信号により信号発生部８２の第３抵抗(R３)には電流が流れなくなるから、ターン-オン電圧(Vt)が形成されない。ターン-オン電圧(Vt)が形成されなければトランジスタ(Q)はターン-オフになって、信号発生部８２の出力端子は第４抵抗(R４)を通じて駆動電源(Vcc)から供給される電圧値を出力するようになる。すなわち、信号発生部８２はハイ１のフィードバック信号(FB３)をパルス幅の変調部６４に供給するようになる。この時、パルス幅の変調部６４は電圧源(Vin)から変圧器５８の一次側捲線に電圧に供給されないようにスイッチング回路５６を遮断させるようになる。これにより、誤放電が起きたランプ４２の電極部に供給される電源が遮られて誤放電が起きたランプ４２を保護するようになる。 
【００５６】
また、放電検出部７０は基準電圧(Vref)と多数のランプ４２の出力電圧を比べるようになる。この時、比較する方法は放電検出部７０が隣合うランプ４２と所定のランプの距離(L)を間に置いて配置されるランプ４２中、所定のランプの距離(L)より大きい距離で離隔されたランプ４２の間の出力電圧(A,B)を比較する方法と同一であるから詳しい説明は略する事にする。 
【００５７】
上述したところのように、本発明の実施例に係る液晶表示装置のランプ駆動装置はランプから発生される誤放電を検出して誤放電が発生されたランプの電源供給を遮断させることによって誤放電が発生されたランプの損傷を防止することができる。これにより、多数のランプに供給されるインバータの出力電圧が安定するから、ランプ電極部の信頼性及び安全性を進めることができる。 
【００５８】
以上説明した内容を通じて当業者であれば、本発明の技術思想を逸脱しない範囲で多様な変更及び修正ができる。したがって、本発明の技術的範囲は明細書の詳細な説明に記載した内容に限定されるのではなく特許請求の範囲により決められなければならない。 
【図面の簡単な説明】
【００５９】
【図１】従来の液晶表示装置のランプ駆動装置を示す図面。
【図２】図１に図示された液晶表示装置のランプ駆動装置を概略的に示す図面。
【図３】図１に図示された過電圧検出部から検出されるランプの出力電圧波形を示す図面。
【図４】図１に図示されたランプの間に発生される誤放電を示す図面。
【図５】本発明の実施例に係る液晶表示装置のランプ駆動装置を示した図面。
【図６】図５に図示された放電検出部を詳しく示す図面。
【図７】図６に図示された比較部においてランプの出力電圧を比べる方法を示す図面。
【図８】図６に図示された比較部においてランプの出力電圧を比べる他の方法を示す図面。
【図９】ランプの間に誤放電が起きなかった時に放電検出部の動作を示す図面。
【図１０】図６に図示された放電検出部に検出されるランプの放電波形を示す図面。
【図１１】ランプの間に誤放電が起きた時に放電検出部の動作を示す図面。
【符号の説明】
【００６０】
１０:ランプハウジング
１２、４２:ランプ 
２０、３０:印刷回路基板
２２、５２:インバータ部 
２４、５４:インバータ
２６、５６:スイッチング回路 
２８、５８:変圧器
３２、６２:ランプ保護部 
３４、６４:パルス幅の変調部
３６、６６:開放ランプ検出部 
３８、６８:過電圧検出部
７０:放電検出部 
７１:放電検出機
７２、７３:比較機 
８０:比較部
８２:信号発生部 
【図１】
2005191005.tif 000003
【図２】
2005191005.tif 000004
【図３】
2005191005.tif 000005
【図４】
2005191005.tif 000006
【図５】
2005191005.tif 000007
【図６】
2005191005.tif 000008
【図７】
2005191005.tif 000009
【図８】
2005191005.tif 000010
【図９】
2005191005.tif 000011
【図１０】
2005191005.tif 000012
【図１１】
2005191005.tif 000013